(57)【要約】      （修正有）【課題】室外機を薄型化しつつ、パネルの変形を抑制する技術を有するファンユニットおよび室外機を提供する。【解決手段】エアコンディショナーの室外機１Ａに用いられるファンユニット１２Ａであって、モータ２Ａと、インペラ３Ａと、パネル４Ａとを有する。インペラ３Ａは、モータ２Ａの動力によって、前後に延びる中心軸周りに回転する。パネル４Ａは、インペラ３Ａの前方に配置され、インペラ３Ａの回転により生じる気流を通過させる複数の貫通孔４４Ａを有する。また、パネル４Ａは、モータ２Ａの静止部を２１Ａ支持する中央部４１Ａと、少なくとも１つのリブ６０Ａとを有する。リブ６０Ａは、中央部４1Ａから径方向外側へ向けて延びる第１リブ６１Ａを含む。パネル４Ａが第１リブ６１Ａを有することにより、パネル４Ａの剛性が向上する。これにより、パネル４Ａの変形を抑制できる。【選択図】図１
2019011870.tif 000002
【特許請求の範囲】
【請求項１】
エアコンディショナーの室外機に用いられるファンユニットであって、
モータと、
前記モータの動力によって、前後に延びる中心軸周りに回転するインペラと、
前記インペラの前方に配置され、前記インペラの回転により生じる気流を通過させる複数の貫通孔を有するパネルと、
を有し、
前記モータは、
ステータを有する静止部と、
前記ステータよりも径方向外側に位置するマグネットを有する回転部と、
を有し、
前記パネルは、
前記静止部を支持する中央部と、
少なくとも１つのリブと、
を有し、
前記リブは、
前記中央部から径方向外側へ向けて延びる第１リブ
を含むファンユニット。
【請求項２】
請求項１に記載のファンユニットであって、
前記パネルは、複数の前記第１リブを有するファンユニット。
【請求項３】
請求項２に記載のファンユニットであって、
複数の前記第１リブは、周方向に等間隔に配置されるファンユニット。
【請求項４】
請求項１から請求項３までのいずれか１項に記載のファンユニットであって、
前記パネルは、水平面に対して垂直に設置され、
前記リブは、
前記水平面に対して垂直に延びる前記第１リブ
を含むファンユニット。
【請求項５】
請求項１から請求項４までのいずれか１項に記載のファンユニットであって、
前記貫通孔は、前記パネルのうち、前記中央部を除く領域に設けられるファンユニット。
【請求項６】
請求項１から請求項５までのいずれか１項に記載のファンユニットであって、
前記第１リブは、前記中央部の外周部から径方向外側へ向けて延びるファンユニット。
【請求項７】
請求項１から請求項６までのいずれか１項に記載のファンユニットであって、
前記リブは、
前記中央部よりも径方向外側において周方向に延びる第２リブ
をさらに含むファンユニット。
【請求項８】
請求項７に記載のファンユニットであって、
前記第２リブは環状であるファンユニット。
【請求項９】
請求項７または請求項８に記載のファンユニットであって、
前記パネルは、複数の前記第２リブを有するファンユニット。
【請求項１０】
請求項７から請求項９までのいずれか１項に記載のファンユニットであって、
前記第１リブの少なくとも一部分および前記第２リブの少なくとも一部分が、一部の前記貫通孔の縁を構成するファンユニット。
【請求項１１】
請求項１から請求項１０までのいずれか１項に記載のファンユニットであって、
前記貫通孔の軸方向に見た形状が、多角形であるファンユニット。
【請求項１２】
請求項１１に記載のファンユニットであって、
前記貫通孔の軸方向に見た形状が、正六角形であるファンユニット。
【請求項１３】
請求項１から請求項１２までのいずれか１項に記載のファンユニットであって、
前記リブは、
前記中央部から径方向外側へ向けて延び、前記第１リブよりも、周方向または軸方向に太い第３リブ
をさらに含むファンユニット。
【請求項１４】
請求項１３に記載のファンユニットであって、
前記第３リブは、前記第１リブよりも、周方向に太いファンユニット。
【請求項１５】
請求項１３に記載のファンユニットであって、
前記第３リブは、前記第１リブよりも、軸方向に太いファンユニット。
【請求項１６】
請求項１３から請求項１５までのいずれか１項に記載のファンユニットであって、
前記パネルは、複数の前記第３リブを有するファンユニット。
【請求項１７】
請求項１６に記載のファンユニットであって、
複数の前記第３リブは、周方向に等間隔に配置されるファンユニット。
【請求項１８】
請求項１から請求項１７までのいずれか１項に記載のファンユニットであって、
前記モータから延びるリード線
をさらに有し、
前記リード線の少なくとも一部は、前記リブに沿って配置されるファンユニット。
【請求項１９】
請求項１８に記載のファンユニットであって、
前記リブは、前記リード線を保持する保持溝を有するファンユニット。
【請求項２０】
請求項１８または請求項１９に記載のファンユニットであって、
前記モータは、
前記リード線を保持するリード線保持部
をさらに有し、
前記リード線保持部は、前記ステータよりも下方に配置され、
前記リード線は、前記リード線保持部から下方へ向けて延びるファンユニット。
【請求項２１】
請求項２０に記載のファンユニットであって、
前記リード線は、前記リード線保持部よりも上方に配置された電源へ向けて延びるファンユニット。
【請求項２２】
請求項１から請求項２１までのいずれか１項に記載のファンユニットであって、
前記静止部は、前記ステータの少なくとも一部を覆うモールド樹脂を有するファンユニット。
【請求項２３】
エアコンディショナーの室外機であって、
請求項１から請求項２２までのいずれか１項に記載のファンユニットと、
熱交換器と、
を有し、
前記熱交換器と前記パネルとの間に、前記インペラが配置され、
前記気流は、前記熱交換器側から前記パネル側へ向かって発生する室外機。
【請求項２４】
請求項２３に記載の室外機であって、
前記熱交換器および前記インペラを内部に収容する筐体
を有し、
前記筐体は、
前記パネルが取り付けられる前壁部と、
前記前壁部に対して垂直に拡がる底板部と、
前記前壁部と前記底板部とに両端部が固定された第４リブと、
を有する室外機。
【発明の詳細な説明】
【技術分野】
【０００１】
本発明は、エアコンディショナーの室外機に用いられるファンユニット、および、エアコンディショナーの室外機に関する。
【背景技術】
【０００２】
従来、エアコンディショナーの室外機は、吸気口および排気口を有する筐体と、吸気口と排気口との間に配置されたファンモータと、吸気口に取り付けられた熱交換器と、排気口に取り付けられたパネルとを有する。従来の室外機の構造は、例えば、特開平０９−１５９２１６号公報に記載されている。
【０００３】
一般的な室外機では、ファンモータを筐体に固定するために、モータブラケット、モータステー等と呼ばれるファンモータ支持具を用いる。特開平０９−１５９２１６号公報には、このようなファンモータ支持具がファンモータのインペラの下流側または上流側に配置された室外機が開示されている（図１（Ａ）、図２）。
【特許文献１】特開平０９−１５９２１６号公報
【発明の概要】
【発明が解決しようとする課題】
【０００４】
一方、近年、室外機の薄型化が求められている。ファンモータ支持具を用いてファンモータを筐体に固定すると、ファンモータのインペラと、排気口または吸気口との間にファンモータ支持具を配置するための空間が必要となる。したがって、室外機のさらなる薄型化が困難である。
【０００５】
室外機をさらに薄型化するための方法として、ファンモータ支持具を省略して、ファンモータをパネルに固定する方法が考えられる。しかしながら、単にファンモータをパネルに固定すると、ファンモータの駆動時にパネルが大きく振動し、変形する虞がある。
【０００６】
本発明の目的は、室外機を薄型化しつつ、パネルの変形を抑制する技術を提供することである。
【課題を解決するための手段】
【０００７】
本願の例示的な第１発明は、エアコンディショナーの室外機に用いられるファンユニットであって、モータと、前記モータの動力によって、前後に延びる中心軸周りに回転するインペラと、前記インペラの前方に配置され、前記インペラの回転により生じる気流を通過させる複数の貫通孔を有するパネルと、を有し、前記モータは、ステータを有する静止部と、前記ステータよりも径方向外側に位置するマグネットを有する回転部と、を有し、前記パネルは、前記静止部を支持する中央部と、少なくとも１つのリブと、を有し、前記リブは、前記中央部から径方向外側へ向けて延びる第１リブを含む。
【発明の効果】
【０００８】
本願の例示的な第１発明によれば、パネルが第１リブを有することにより、パネルの剛性が向上する。これにより、パネルの変形を抑制できる。
【図面の簡単な説明】
【０００９】
【図１】図１は、第１実施形態に係る室外機の縦断面図である。
【図２】図２は、第１実施形態に係るパネルの背面図である。
【図３】図３は、第２実施形態に係る室外機の斜視図である。
【図４】図４は、第２実施形態に係る室外機の縦断面図である。
【図５】図５は、第２実施形態に係るパネルの正面図である。
【図６】図６は、第２実施形態に係るパネルの背面図である。
【図７】図７は、第２実施形態に係るパネルの部分断面図である。
【図８】図８は、一変形例に係るパネルの正面図である。
【図９】図９は、他の変形例に係るパネルの正面図である。
【図１０】図１０は、他の変形例に係るパネルの正面図である。
【図１１】図１１は、他の変形例に係るパネルの正面図である。
【図１２】図１２は、他の変形例に係るパネルの背面図である。
【図１３】図１３は、他の変形例に係るパネルの正面図である。
【図１４】図１４は、他の変形例に係る室外機の縦断面図である。
【発明を実施するための形態】
【００１０】
以下、本発明の例示的な実施形態について、図面を参照しながら説明する。なお、以下の説明においては、室外機の吸気口側を「後」、排気口側を「前」として、前後方向を定義する。図１、図３、図４、図７、および図１４では、前方を「Ｆ」、後方を「Ｂ」として、前後方向が矢印で示されている。
【００１１】
＜１．第１実施形態＞
まず、第１実施形態に係る室外機１Ａについて、図１および図２を参照しつつ説明する。図１は、室外機１Ａの縦断面図である。図２は、室外機１Ａに用いられるファンユニット１２Ａのパネル４Ａの背面図である。
【００１２】
室外機１Ａは、筐体１１Ａと、ファンユニット１２Ａと、熱交換器１３Ａと、図示を省略した電源および圧縮機とを有する。筐体１１Ａは、前面に排気口１１１Ａを有し、後面に吸気口１１２Ａを有する略直方体状の筐体である。
【００１３】
ファンユニット１２Ａは、モータ２Ａと、インペラ３Ａと、パネル４Ａとを有する。
【００１４】
モータ２Ａは、静止部２１Ａと回転部２２Ａとを有する。静止部２１Ａは、ステータ２１２Ａを有する。回転部２２Ａは、静止部２１Ａに対して前後に延びる中心軸９Ａ周りに回転可能に支持される。回転部２２Ａは、ステータ２１２Ａよりも径方向外側に位置するマグネット２２３Ａを有する。
【００１５】
インペラ３Ａは、モータ２Ａの回転部２２Ａとともに、中心軸９Ａ周りに回転する。モータ２Ａの駆動時には、インペラ３Ａは、回転により前方へ向かう気流を生じさせる。
【００１６】
パネル４Ａは、インペラ３Ａの前方に配置される。パネル４Ａは、インペラ３Ａの回転により生じる気流を通過させる複数の貫通孔４４Ａを有する。パネル４Ａは、中央部４１Ａと、通気部４３Ａと、１つのリブ６０Ａとを有する。
【００１７】
中央部４１Ａは、モータ２Ａの静止部２１Ａを支持する部位である。通気部４３Ａは、中央部４１Ａの径方向外側に配置され、複数の貫通孔４４Ａを有する。本実施形態のリブ６０Ａは、中央部４１Ａから径方向外側へ向けて延びる第１リブ６１Ａである。
【００１８】
パネル４Ａがモータ２Ａを支持することにより、モータ２Ａからパネル４Ａに、駆動時の振動が伝播しやすくなる。しかしながら、このファンユニット１２Ａでは、パネル４Ａが第１リブ６１Ａを有することにより、パネル４Ａの剛性が向上する。これにより、モータ２Ａの駆動時におけるパネル４Ａの振動を抑制できる。その結果、パネル４Ａの変形を抑制できる。
【００１９】
本実施形態のファンユニット１２Ａでは、パネル４Ａが、水平面に対して垂直に設置される。また、この第１リブ６１Ａは、水平面に対して垂直に延びる。これにより、重力によるパネル４Ａの変形を抑制できる。なお、本願において「垂直」とは、略垂直を含む。水平面とは、重力方向に対して垂直に交わる面である。
【００２０】
＜２．第２実施形態＞
＜２−１．室外機の構成＞
次に、第２実施形態に係る室外機１の構成について、図３および図４を参照しつつ説明する。図３は、室外機１の斜視図である。図４は、室外機１の縦断面図である。この室外機１は、エアコンディショナーの室外機であり、エアコンディショナーの室内機とともに用いられ、室内機を介して室内の熱を室外へと放出するために用いられる。
【００２１】
室外機１は、筐体１１と、ファンユニット１２と、熱交換器１３と、電源１４と、図示を省略した圧縮機とを有する。筐体１１は、熱交換器１３および後述するインペラ３を内部に収容する略直方体状の筐体である。筐体１１は、前面すなわち正面に排気口１１１を有し、後面すなわち背面に吸気口１１２を有する。
【００２２】
ファンユニット１２は、モータ２と、インペラ３と、パネル４とを有する。インペラ３は、モータ２の動力によって、前後に延びる中心軸９周りに回転する。パネル４は、排気口１１１を覆う。パネル４は、インペラ３の回転により生じる気流を通過させる複数の貫通孔４４を有する。熱交換器１３は、吸気口１１２を覆うように配置される。電源１４は、モータ２へ駆動電流を供給する装置である。電源１４とモータ２とは、後述するリード線１５を介して電気的に接続される。なお、図３中、電源１４およびリード線１５は破線で示されている。
【００２３】
モータ２が駆動されると、インペラ３が回転し、後方から前方へ向かう気流が発生する。これにより、外気が吸気口１１２を通って筐体１１内に吸入され、熱交換器１３を通過する。当該外気は、熱交換器１３の伝熱管内を循環する冷媒と熱交換して加熱または冷却された後、排気口１１１から外部に排出される。
【００２４】
＜２−２．ファンユニットの構成＞
続いて、ファンユニット１２の構成について、図４〜図７を参照しつつ説明する。図５は、室外機１に用いられるファンユニット１２のパネル４の正面図である。図６は、パネル４の背面図である。図７は、図５および図６のＡ−Ａ’線に沿ったパネル４の部分断面図である。上記の通り、ファンユニット１２は、モータ２と、インペラ３と、パネル４とを有する。
【００２５】
モータ２は、静止部２１と、回転部２２とを有する。静止部２１は、ベース部２１１と、ステータ２１２とを有する。回転部２２は、静止部２１に対して、前後に延びる中心軸９周りに回転可能に支持される。回転部２２は、シャフト２２１と、ロータカップ２２２と、マグネット２２３とを有する。
【００２６】
ベース部２１１は、パネル４の後述する中央部４１に固定される第１固定部５１と、第１固定部５１から後方へ延びる略円筒状の第２固定部５２とを有する。第２固定部５２の内周部には、２つの軸受機構５２１が備えられている。シャフト２２１は、その一部が第２固定部５２の径方向内側に収容され、軸受機構５２１を介して第２固定部５２に対して回転可能に支持される。本実施形態の軸受機構５２１は、第２固定部５２の内周面に固定される外輪と、シャフト２２１の外周面に固定される内輪とを有するボールベアリングである。ただし、ボールベアリングに代えて、スリーブ軸受等の他方式の軸受が用いられてもよい。
【００２７】
ステータ２１２は、ステータコア５３と、コイル５４とを有する。ステータコア５３は、例えば、珪素鋼板等の電磁鋼板が軸方向に積層された積層鋼板からなる。ステータコア５３は、第２固定部５２の外周面に固定される。また、ステータコア５３は、径方向外側へ向けて突出した複数のティース５３１を有する。複数のティース５３１は、周方向に略等間隔に配列される。コイル５４は、各ティース５３１の周囲に巻かれた導線により構成される。
【００２８】
シャフト２２１は、軸方向に延びる略円柱状の部材である。シャフト２２１の前端を含む一部は、ベース部２１１の第２固定部５２の径方向内側に配置される。シャフト２２１の後端は、第２固定部５２の後端よりも後側へ突出している。
【００２９】
ロータカップ２２２は、円板部５５と円筒部５６とを有する。円板部５５は、シャフト２２１の外周部から径方向に拡がる板状の部位である。シャフト２２１の後端付近は、円板部５５の径方向内側の端部に固定される。円筒部５６は、円板部５５の外周部から軸方向に延びる略円筒状の部位である。
【００３０】
マグネット２２３は、ステータ２１２よりも径方向外側に位置する略円環状のマグネットである。マグネット２２３の内周面は、複数のティース５３１の径方向外側の端面と、径方向に対向する。また、マグネット２２３の内周面には、Ｎ極とＳ極とが、周方向に交互に着磁されている。
【００３１】
なお、円環状のマグネット２２３に代えて、複数のマグネットが使用されていてもよい。複数のマグネットを使用する場合には、Ｎ極とＳ極とが交互に並ぶように、複数のマグネットを周方向に配列すればよい。また、ロータカップ２２２とマグネット２２３とが、一繋がりのプラスチックマグネットにより形成されていてもよい。
【００３２】
インペラ３は、ロータカップ２２２の円筒部５６の外周面から径方向外側へ延びる複数の羽根３１を有する。インペラ３は、熱交換器１３よりも前方、かつ、パネル４よりも後方に配置される。モータ２の駆動時には、インペラ３は、回転により前方へ向かう気流を生じさせる。
【００３３】
パネル４は、筐体１１の排気口１１１に配置される。すなわち、パネル４は、インペラ３の前方において、水平面に対して垂直に配置される。パネル４は、インペラ３の回転により生じる気流を通過させる複数の貫通孔４４を有する。パネル４は、フィンガーガードとして使用者等の指がインペラと接触するのを防止するとともに、外部から排気口１１１を介して筐体１１内に異物が侵入するのを防止する。パネル４は、中央部４１と、枠部４２と、通気部４３と、１つのリブ６０とを有する。
【００３４】
中央部４１は、モータ２の静止部２１を支持する部位である。具体的には、ベース部２１１の第１固定部５１が中央部４１の背面に設けられた凹部に嵌まることにより、ベース部２１１が中央部４１に固定される。
【００３５】
枠部４２は、中央部４１の径方向外側において、排気口１１１の縁部に沿って配置される略円環状の部位である。
【００３６】
通気部４３は、中央部４１の径方向外側かつ枠部４２の径方向内側に拡がる略円環状の部位である。通気部４３には、複数の貫通孔４４が設けられる。
【００３７】
図５および図６に示すように、本実施形態では、中央部４１および枠部４２と隣接する貫通孔４４を除いて、貫通孔４４の軸方向に見た形状が、正六角形である。このように、貫通孔４４の形状が多角形であることにより、パネル４の剛性を向上できる。さらに、貫通孔４４の形状が正六角形であることにより、パネル４の剛性をより向上できる。
【００３８】
本実施形態では、通気部４３は、軸方向に対して垂直に延び、かつ、軸方向に厚みを有する仕切部４３１により形成されている。このため、仕切部４３１がハニカム形状に連なることにより、正六角形の貫通孔４４が形成される。
【００３９】
リブ６０は、中央部４１の外周部から径方向外側へ向けて延びる第１リブ６１である。第１リブ６１の周方向の幅は、通気部４３の他の部分の軸方向に見た幅よりも大きい。すなわち、第１リブ６１の周方向の幅は、仕切部４３１の幅よりも大きい。なお、ここでいう仕切部４３１の幅とは、軸方向に対して垂直、かつ、仕切部４３１の延びる方向に対して垂直な方向の幅を指すものとする。
【００４０】
本実施形態では、第１リブ６１の前端部は、通気部４３の他の部分の前端部と軸方向の位置が略同一である。また、第１リブ６１の後端部は、通気部４３の他の部分の後端部と軸方向の位置が略同一である。すなわち、第１リブ６１は、通気部４３の他の部分よりも軸方向に突出していない。
【００４１】
パネル４がモータ２を支持することにより、モータ２からパネル４に、駆動時の振動が伝播しやすくなる。しかしながら、このファンユニット１２では、パネル４が第１リブ６１を有することにより、パネル４の剛性が向上する。これにより、モータ２の駆動時におけるパネル４の振動を抑制できる。その結果、パネル４の変形を抑制できる。
【００４２】
本実施形態では、貫通孔４４は、通気部４３のみに設けられる。すなわち、貫通孔４４は、パネル４のうち中央部４１を除く領域に設けられている。このようにすれば、モータ２を取り付ける中央部４１において、貫通孔４４による剛性の低下が抑制される。また、モータ２と中央部４１との接触面積が増えるため、モータ２をパネル４に対して強固に固定できる。なお、モータ２のベース部２１１と、パネル４の中央部４１との間に、緩衝材を配置してもよい。そうすれば、モータ２の振動がパネル４により伝達しにくくなる。
【００４３】
本実施形態のパネル４は、プラスチックにより一体に成形される。したがって、中央部４１、枠部４２、通気部４３およびリブ６０は、一体に成形される。しかしながら、本発明はこれに限られない。例えば、通気部は、針金状の金属により形成された金網であってもよい。また、リブ６０は、中央部４１、枠部４２および通気部４３とは別体の部材であってもよい。
【００４４】
本実施形態では、室外機１は、モータ２から延び、電源１４と接続されるリード線１５を有する。モータ２の静止部２１は、リード線１５を保持するリード線保持部２１３を有する。リード線保持部２１３は、ベース部２１１と一体に形成される。図６中には、モータ２のロータカップ２２２の外周面と、リード線保持部２１３と、リード線１５の一部とが破線で示されている。
【００４５】
図６に示すように、第１リブ６１は、後端面から前方へ向かって凹む保持溝６００を有する。保持溝６００は、第１リブ６１の延びる方向に沿って延びる。また、保持溝６００は、その内部にリード線１５を保持する。これにより、リード線保持部２１３を介してモータ２から径方向外側に延びるリード線１５の一部は、第１リブ６１に沿って配置される。
【００４６】
リード線１５がリブ６０に沿って配置されることにより、リード線１５が貫通孔４４と軸方向に重なるのが抑制される。したがって、リード線１５が気流の妨げとなることが抑制される。これにより、室外機１の外部へ排出される風量が、リード線１５によって低下することを抑制できる。また、リード線１５が保持溝６００内に保持されることにより、リード線１５の位置ずれを抑制できる。さらに、リード線１５がインペラ３に接触することも抑制できる。
【００４７】
なお、リブ６０は、保持溝６００を有していなくてもよい。例えば、リブ６０の背面側にスナップフィット式の固定用突起を設け、当該固定用突起によりリード線１５を固定してもよい。また、その他の方法によりリブ６０の背面側にリード線１５を固定してもよい。
【００４８】
図７に示すように、通気部４３において、貫通孔４４を形成する仕切部４３１は、背面側にテーパ面４３２を有する。これにより、仕切部４３１の後端部付近は、後方に向かうにつれて厚みが小さくなる。したがって、インペラ３により発生した風が、通気部４３の仕切部４３１の後端に達した際に、テーパ面４３２にガイドされて貫通孔４４へと向かう。換言すると、インペラ３により発生した風が、テーパ面４３２に沿って流れる。その結果、風がスムーズに流れ、インペラ３により発生した風が仕切部４３１に衝突することで騒音が発生するのが抑制される。
【００４９】
＜３．変形例＞
以上、本発明の例示的な実施形態について説明したが、本発明は上記の実施形態に限定されるものではない。なお、以下の変形例において、パネルの形状以外は第２実施形態に係るファンユニットと同様である。このため、以下の変形例では、第２実施形態と異なる部分のみについて説明を行う。
【００５０】
図８は、一変形例に係るパネル４Ｂの正面図である。このパネル４Ｂは、４つのリブ６０Ｂを有する。４つのリブ６０Ｂはいずれも、中央部４１Ｂから径方向外側へ向けて延びる第１リブ６１Ｂである。
【００５１】
パネル４Ｂを有するファンユニットでは、パネル４Ｂが第１リブ６１Ｂを有することにより、パネル４Ｂの剛性が向上する。また、パネル４Ｂが複数の第１リブ６１Ｂを有することにより、パネル４Ｂの剛性がより向上する。これにより、モータの駆動時におけるパネル４Ｂの振動をより抑制できる。その結果、パネル４Ｂの変形をより抑制できる。
【００５２】
また、このパネル４Ｂでは、４つの第１リブ６１Ｂは、周方向に等間隔に配置される。これにより、パネル４Ｂの剛性がさらに向上する。すなわち、パネル４Ｂの変形をさらに抑制できる。なお、本願において「等間隔」とは、略等間隔を含む。
【００５３】
図９は、他の変形例に係るパネル４Ｃの正面図である。このパネル４Ｃは、２つのリブ６０Ｃを有する。２つのリブ６０Ｃは、１つの第１リブ６１Ｃと、１つの第２リブ６２Ｃとを含む。第１リブ６１Ｃは、中央部４１Ｃから径方向外側へ向けて延びる。第２リブ６２Ｃは、中央部４１Ｃよりも径方向外側において周方向に延びる。
【００５４】
パネル４Ｃを有するファンユニットでは、パネル４Ｃが第１リブ６１Ｃに加えて第２リブ６２Ｃを有することにより、パネル４Ｃの剛性がより向上する。これにより、モータの駆動時におけるパネル４Ｃの振動をより抑制できる。また、このパネル４Ｃでは、第２リブ６２Ｃが環状である。これにより、パネル４Ｃの剛性を、全周に亘って向上できる。
【００５５】
このパネル４Ｃは、一体に成形される。したがって、中央部４１Ｃ、枠部４２Ｃ、通気部４３Ｃおよびリブ６０Ｃが一体に成形される。このため、貫通孔４４Ｃのうちの一部の貫通孔４４１Ｃの縁が、第１リブ６１Ｃの一部分と第２リブ６２Ｃの一部分とにより構成される。
【００５６】
なお、図９の例では、パネル４Ｃは１つの第２リブ６２Ｃを有するが、本発明はこれに限られない。パネルは、複数の第２リブを有してもよい。その場合、パネルの剛性をさらに向上できる。
【００５７】
また、図９の例では、第２リブ６２Ｃの形状が、軸方向に見て略円環状であったが、本発明はこれに限られない。第２リブ６２Ｃの形状は、軸方向に見て略六角形、略八角形または略十二角形等の多角形であってもよいし、その他の形状であってもよい。
【００５８】
図１０は、他の変形例に係るパネル４Ｄの正面図である。このパネル４Ｄは、８つのリブ６０Ｄを有する。８つのリブ６０Ｄは、４つの第１リブ６１Ｄと、４つの第３リブ６３Ｄとを含む。第１リブ６１Ｄおよび第３リブ６３Ｄは、中央部４１Ｄから径方向外側へ向けて延びる。第３リブ６３Ｄは、第１リブ６１Ｄよりも、周方向または軸方向に太い。
【００５９】
パネル４Ｄを有するファンユニットでは、パネル４Ｄが第１リブ６１Ｄに加えて第３リブ６３Ｄを有することにより、パネル４Ｄの剛性がより向上する。したがって、モータの駆動時におけるパネル４Ｄの振動をより抑制できる。図１０の例の第３リブ６３Ｄは、第１リブ６１Ｄよりも、周方向に太い。これにより、パネル４Ｄの軸方向の厚みを抑えつつ、第３リブ６３Ｄを設けることができる。
【００６０】
また、パネル４Ｄが複数の第３リブ６３Ｄを有することにより、パネル４Ｄの剛性がさらに向上する。これにより、モータの駆動時におけるパネル４Ｄの振動をより抑制できる。その結果、パネル４Ｄの変形をより抑制できる。
【００６１】
このパネル４Ｄでは、４つの第１リブ６１Ｄが周方向に等間隔に配置されることにより、パネル４Ｄの剛性がより向上する。また、４つの第３リブ６３Ｄが周方向に等間隔に配置されることにより、パネル４Ｄの剛性がさらに向上する。したがって、パネル４Ｄの変形をさらに抑制できる。
【００６２】
なお、図１０の例では、第３リブ６３Ｄは第１リブ６１Ｄよりも周方向に太いが、本発明はこれに限られない。第３リブは、第１リブよりも軸方向に太くてもよい。その場合、軸方向から見たパネルの開口面積、すなわち、軸方向から見た貫通孔の総面積が小さくなることを抑制できる。すなわち、室外機の外部へ排出される風量を低減させることなく、パネル４Ｄの剛性を向上できる。
【００６３】
また、図１０の例では、複数のリブ６０Ｄのうち、２つの第１リブ６１Ｄが水平面に対して垂直に延びる。このように、少なくとも１つのリブ６０が水平面に対して垂直に延びることにより、重力によるパネル４Ｄの変形を抑制できる。また、第１リブ６１Ｄおよび第３リブ６３Ｄの数は、それぞれ、１〜３本であってもよく、５本以上であってもよい。
【００６４】
図１１は、他の変形例に係るパネル４Ｅの正面図である。図１２は、図１１の例のパネル４Ｅの背面図である。このパネル４Ｅは、９つのリブ６０Ｅを有する。９つのリブ６０Ｅは、４つの第１リブ６１Ｅと、１つの第２リブ６２Ｅと、４つの第３リブ６３Ｅとを含む。第１リブ６１Ｅは、中央部４１Ｅから径方向外側へ向けて延びる。第２リブ６２Ｅは、中央部４１Ｅよりも径方向外側において周方向に延びる。第３リブ６３Ｅは、中央部４１Ｅから径方向外側へ向けて延びる。また、第３リブ６３Ｅは、周方向において第１リブ６１Ｅよりも太い。
【００６５】
パネル４Ｅを有するファンユニットでは、パネル４Ｅが第１リブ６１Ｅに加えて第２リブ６２Ｅおよび第３リブ６３Ｅを有することにより、パネル４Ｅの剛性がより向上する。これにより、モータの駆動時におけるパネル４Ｅの振動をより抑制できる。その結果、パネル４Ｅの変形をより抑制できる。
【００６６】
図１２に示すように、第２リブ６２Ｅの一部と、２つの第３リブ６３Ｅの一部とには、後端面から前方へ向かって凹む保持溝６００Ｅが設けられている。ここで、保持溝６００Ｅが設けられた２つの第３リブ６３Ｅのうち、中央部４１Ｅから斜め下方へ向かって延びるものを下側リブ６３１Ｅ、中央部４１Ｅから斜め上方へ向かって延びるものを上側リブ６３２Ｅと称する。下側リブ６３１Ｅおよび上側リブ６３２Ｅは、４つの第３リブ６３Ｅのうち、周方向に隣り合う２つの第３リブ６３Ｅである。
【００６７】
保持溝６００Ｅは、中央部４１Ｅから下側リブ６３１Ｅの略中央まで延びる第１溝６０１Ｅと、下側リブ６３１Ｅと上側リブ６３２Ｅとの間において第２リブ６２Ｅに沿って延びる第２溝６０２Ｅと、上側リブ６３２Ｅの略中央から径方向外側へ延びる第３溝６０３Ｅとを含む。第１溝６０１Ｅと第２溝６０２Ｅとは、下側リブ６３１Ｅと第２リブ６２Ｅとの接続箇所において、繋がっている。また、第２溝６０２Ｅと第３溝６０３Ｅとは、第２リブ６２Ｅと上側リブ６３２Ｅとの接続箇所において、繋がっている。
【００６８】
パネル４Ｅを有するファンユニットでは、パネル４Ｅに固定されるモータ２Ｅのリード線保持部２１３Ｅが第１溝６０１Ｅに沿って配置される。なお、図１２中に、モータ２Ｅの外周面、リード線保持部２１３Ｅおよびステータ２１２Ｅの位置が破線で示されている。リード線保持部２１３Ｅを介してモータ２Ｅから径方向外側へ延びるリード線は、第１溝６０１Ｅに沿って斜め下方へ向かう。その後、当該リード線は上方へと方向を転換し、第２溝６０２Ｅおよび第３溝６０３Ｅに沿って進み、パネル４Ｅの斜め上方へと向かう。そして、その後、第３溝６０３Ｅの上端よりも上方に配置された電源の端子と接続される。
【００６９】
このように、図１１および図１２の例のパネル４Ｅを有するファンユニットでは、リード線保持部２１３Ｅがステータ２１２Ｅよりも下方に配置される。また、リード線がリード線保持部２１３Ｅから下方へ向けて延びる。このため、降雨などにより、室外機の筐体内に水滴が浸入し、当該水滴がリード線に付着した場合には、上述した下側リブ６３１Ｅと第２リブ６２Ｅとの接続箇所付近に水滴が溜まり、溜まった水滴が下方へ落下する。したがって、リード線を伝ってモータ２Ｅの内部に水滴が直接浸入することを抑制できる。
【００７０】
また、このパネル４Ｅを有する室外機では、モータ２Ｅから延びるリード線が、リード線保持部２１３Ｅよりも上方に配置された電源へ向けて延びる。このため、上述した下側リブ６３１Ｅと第２リブ６２Ｅとの接続箇所付近に溜まった水滴が、リード線を伝って電源の内部に水滴が浸入することも、抑制される。なお、電源全体がリード線保持部２１３Ｅよりも上方の場合に限らず、リード線と電源との接続箇所がリード線保持部２１３Ｅよりも上方であればよい。
【００７１】
また、図１１および図１２のように、モータ２Ｅから下方へリード線を延ばせば、モータ２Ｅの上方から降下する水滴が、モータ２Ｅに遮られて、リード線保持部２１３Ｅへ到達しにくくなる。したがって、リード線保持部２１３Ｅへの水滴の付着を、より抑制できる。
【００７２】
なお、リード線を保持するための溝は、図１２の例とは異なるリブに設けられてもよい。例えば、第１溝６０１Ｅおよび第３溝６０３Ｅは、第１リブに設けられていてもよい。ただし、モータ２Ｅ周辺に溜まった水滴を鉛直下方に排水したい場合には、パネル４Ｅの中央部４１Ｅから鉛直下方に延びるリブには、リード線を配置しないことが好ましい。
【００７３】
図１３は、他の変形例に係るパネル４Ｆの正面図である。このパネル４Ｆは、１０個のリブ６０Ｆを有する。１０個のリブ６０Ｆは、４つの第１リブ６１Ｆと、２つの第２リブ６２Ｆと、４つの第３リブ６３Ｆとを含む。第１リブ６１Ｆは、中央部４１Ｆから径方向外側へ向けて延びる。第２リブ６２Ｆは、中央部４１Ｆよりも径方向外側において周方向に延びる。第３リブ６３Ｆは、中央部４１Ｆから径方向外側へ向けて延びる。また、第３リブ６３Ｆは、周方向において第１リブ６１Ｆよりも太い。
【００７４】
このパネル４Ｆでは、第２リブ６２Ｆが周方向に環状に繋がっていない。第２リブ６２Ｆはそれぞれ、上側の第３リブ６３Ｆと下側の第３リブ６３Ｆとの間を周方向に繋ぐ。このように、第２リブ６２Ｆは、環状でなくてもよい。
【００７５】
図１４は、他の変形例に係る室外機１Ｇの縦断面図である。この室外機１Ｇの筐体１１Ｇは、平板状の前壁部１１３Ｇと、前壁部１１３Ｇに対して略垂直に拡がる底板部とを有する。ファンユニット１２Ｇのパネル４Ｇは、前壁部１１３Ｇに設けられた排気口１１１Ｇに取り付けられる。また、この室外機１Ｇの筐体１１Ｇは、前壁部１１３Ｇと底板部１１４Ｇとの間に設けられた第４リブ６４Ｇを有する。第４リブ６４Ｇの一方の端部は、前壁部１１３Ｇの後面に固定される。また、第４リブ６４Ｇの他方の端部は、底板部１１４Ｇの上面に固定される。このようにすれば、第４リブ６４Ｇによって、前壁部１１３Ｇの剛性が向上する。したがって、前壁部１１３Ｇおよびパネル４Ｇの全体が振動することを抑制できる。なお、第４リブ６４Ｇは、柱状の部材であってもよいが、前壁部１１３Ｇおよび底板部１１４Ｇの双方に対して平行に拡がる板状にすれば、前壁部１１３Ｇの剛性を、より高めることができる。
【００７６】
上記の実施形態および変形例では、貫通孔の基本的な形状が四角形や正六角形等の多角形であったが、本発明はこれに限られない。貫通孔の形状は、円形や楕円形であってもよいし、その他の形状であってもよい。
【００７７】
また、上記の実施形態および変形例では、パネルの枠部の径方向内縁の形状が軸方向から見て略円形であったが、本発明はこの限りではない。枠部の径方向内縁の形状は、軸方向から見て正六角形、正八角形または正十二角形等の多角形であってもよいし、その他の形状であってもよい。
【００７８】
同様に、上記の実施形態および変形例では、パネルの中央部の径方向外縁の形状が軸方向から見て略円形であったが、本発明はこの限りではない。中央部の径方向外縁の形状は、軸方向から見て正六角形、正八角形または正十二角形等の多角形であってもよいし、その他の形状であってもよい。
【００７９】
また、リブは、単なる四角柱状であってもよく、他の形状であってもよい。リブは、軸方向の両端部へ向かうにつれて厚みを収束させた、静翼形状であってもよい。リブを静翼形状にすれば、リブの付近における気流の乱れを抑制できる。その結果、パネルの振動や騒音を、より抑制できる。
【００８０】
また、上記の実施形態のモータでは、静止部のステータが露出していたが、ステータは、モールド樹脂で覆われていてもよい。換言すれば、静止部は、ステータの少なくとも一部を覆うモールド樹脂を有していてもよい。ステータをモールド樹脂で覆えば、ステータへの水滴の付着を、より抑制できる。また、モータの駆動時に、ステータが磁気的作用で微振動することを抑制できる。したがって、モータの駆動時に発生する振動や騒音を、さらに抑制できる。
【００８１】
室外機およびファンユニットの各部を実現するための具体的な構成については、上記の実施形態に示された構成と、相違していてもよい。また、上記の実施形態や変形例に登場した各要素を、矛盾が生じない範囲で、適宜に組み合わせてもよい。
【産業上の利用可能性】
【００８２】
本発明は、ファンユニットおよび室外機に利用できる。
【符号の説明】
【００８３】
１，１Ａ  室外機
２，２Ａ，２Ｅ  モータ
３，３Ａ  インペラ
４，４Ａ，４Ｂ，４Ｃ，４Ｄ，４Ｅ，４Ｆ  パネル
１１，１１Ａ  筐体
１２，１２Ａ  ファンユニット
１３，１３Ａ  熱交換器
１４  電源
１５  リード線
２１，２１Ａ  静止部
２２，２２Ａ  回転部
４１，４１Ａ，４１Ｂ，４１Ｃ，４１Ｄ，４１Ｅ，４１Ｆ  中央部
４３，４３Ａ，４３Ｃ  通気部
４４，４４Ａ，４４Ｃ  貫通孔
６０，６０Ａ，６０Ｂ，６０Ｃ，６０Ｄ，６０Ｅ，６０Ｆ  リブ
６１，６１Ａ，６１Ｂ，６１Ｃ，６１Ｄ，６１Ｅ，６１Ｆ  第１リブ
６２Ｃ，６２Ｅ，６２Ｆ  第２リブ
６３Ｄ，６３Ｅ，６３Ｆ  第３リブ
２１２，２１２Ａ，２１２Ｅ  ステータ
２１３，２１３Ｅ  リード線保持部
２２３，２２３Ａ  マグネット
４４１Ｃ  隣接貫通孔
６００，６００Ｅ  保持溝
【図１】
2019011870.tif 000003
【図２】
2019011870.tif 000004
【図３】
2019011870.tif 000005
【図４】
2019011870.tif 000006
【図５】
2019011870.tif 000007
【図６】
2019011870.tif 000008
【図７】
2019011870.tif 000009
【図８】
2019011870.tif 000010
【図９】
2019011870.tif 000011
【図１０】
2019011870.tif 000012
【図１１】
2019011870.tif 000013
【図１２】
2019011870.tif 000014
【図１３】
2019011870.tif 000015
【図１４】
2019011870.tif 000016